(57)【要約】【課題】内容物が微細な粉末であっても周囲に飛散するおそれ少なく、容易かつ確実に詰め替えることが可能である共に、香りや風味が損なわれるおそれも少なく、本来の品質を上手く保って詰め替えが可能な詰め替え用パウチを提供する。【解決手段】注出部７を備えた袋体からなり、前記注出部７の近傍に弱シール箇所９が形成され、この弱シール箇所９によって注出部７側とパウチ本体１Ａとに仕切られて、パウチ本体１ＡにインスタントコーヒーＣが収容され、かつ、前記注出部７にはノッチ１０が設けられていると共に前記弱シール箇所９の外側両面にこの弱シール箇所９を剥離するつまみ部１２が設けられている。【選択図】      図１
2010058833.tif 000002
【特許請求の範囲】
【請求項１】
注出部を備えた袋体からなり、前記注出部近傍に弱シール箇所が形成され、この弱シール箇所によって注出部側と収納領域とに仕切られて、収納領域に内容物が収容され、かつ、前記注出部にはノッチが設けられていると共に前記弱シール箇所の外側両面にこの弱シール箇所を剥離するつまみ部が設けられていることを特徴とする詰め替え用パウチ。
【請求項２】
つまみ部は別パーツをパウチの表裏両外表面に固定してなる請求項１記載の詰め替え用パウチ。
【請求項３】
つまみ部はパウチの表裏両面を折り込んだ状態でヒートシールされた構成されている請求項１記載の詰め替え用パウチ。
【請求項４】
パウチは注出部がパウチ本体側よりも細幅に形成されている請求項１〜３のいずれかに記載の詰め替え用パウチ。
【発明の詳細な説明】
【技術分野】
【０００１】
本発明は、紙、アルミニウム、プラスチックフィルムのいずれかを使用した単体若しくは積層体からなるパウチで、詰め替え先の容器に内容物、主として粉体や粒体などを移し替えることに使用する包み材、所謂詰め替え用パウチに関する。
【背景技術】
【０００２】
この種詰め替え用パウチは多数の提案がなされていたり、市販されていたりする。
一般的には、パウチの一角などを切断して開口部を設け、この開口部を上下逆さにして詰め替え先の容器の口部に乗せ、その後にこの開口部を介してパウチから内容物である粉体などをこの詰め替え先の容器に移し替えている。
【０００３】
尚、本発明に言うパウチは、平パウチ、スタンディングパウチ、ピロー、ガゼットなどの包装用袋を意味し、要するところフィルムや紙を主体として得られた包装袋の一端に開口部が備わり、辺縁に設けたノッチによって開封する類の包装用袋の全般を包含するものである。
【特許文献１】特開２００８−０７４４６６号公報
【特許文献２】特開２００６―２９０３７３号公報
【特許文献３】特開２００６―２７３３３８号公報
【発明の開示】
【発明が解決しようとする課題】
【０００４】
しかしながら、従来のこの種パウチは、詰め替え作業中に内容物がこぼれるなど、詰め替え難い製品が多い。また、内容物が微細な粉末で、詰め替え作業中に内容物が飛び散る可能性がある商品には適用し難い。更には詰め替えする際に、外気に触れて変性するような内容物や外気に揮発成分が蒸散して品質が低下してしまうような内容物には適用し難い問題がある。
【０００５】
そこで本発明者らは、従来製品のこのような問題点に鑑み、種々検討した。その結果、従来の製品は、詰め替えに先立ってこのパウチを開封して開口部を設け、その後に詰め替え先の容器へ詰め替えを行なわねばならない構造的な問題点があることが分かった。
【０００６】
この新知見を基に更に鋭意検討、試験を重ね、得られた結果から、パウチから詰め替え先容器に内容物を詰め替える直前までは開口部が閉止されて内部の密封性を的確に保つことができる製品を試作してみた。その結果、ほぼ満足の行く製品を得ることができたので、ここに提案する。
【０００７】
したがって、本発明の目的は、内容物が微細な粉末であっても周囲に飛散するおそれ少なく、容易かつ確実に詰め替えることが可能である共に、香りや風味が損なわれるおそれも少なく、本来の品質を上手く保った詰め替えが可能な詰め替え用パウチを提供することにある。
【課題を解決するための手段】
【０００８】
以上の技術的な課題を解決するために、本発明に係る詰め替え用パウチは、請求項１に記載のように、注出部を備えた袋体からなり、前記注出部近傍に弱シール箇所が形成され、この弱シール箇所によって注出部側と収納領域とに仕切られて、収納領域に内容物が収容され、かつ、前記注出部にはノッチが設けられていると共に前記弱シール箇所の外側両面にこの弱シール箇所を剥離するつまみ部が設けられていることを特徴とする。
【０００９】
本発明の詰め替え用パウチによれば、ノッチに沿ってパウチの注出部を引き裂いた後、パウチを上下逆さまにして注出部を詰め替え先の容器の口部に差込む。このとき、パウチ本体側の内容物は弱シール箇所によって未だパウチ本体内に収容された状態のままである。次いで、つまみ部を持ってパウチの表裏両側のフィルムを互いに離間する方向に引っ張る。この引っ張りによって、弱シール箇所を凝集破壊或いは層間剥離させてパウチを開口させる。これによって、内容物は詰め替え先の容器内にストレートに流下、充填される。
【００１０】
また、本発明では、請求項２や請求項３に記載のように、つまみ部は別パーツをパウチの表裏両外表面に固定して形成したり、パウチの表裏両面を折り込んだ状態でヒートシールされた構成したりすることによって得られる。
【発明の効果】
【００１１】
このように本発明に係る詰め替え用パウチは、詰め替えに際して、ノッチが開封された後も、弱シール箇所によって密封が保たれ、詰め替え先の容器の口部に注出部を差し込んだ後に注出部を開封するので、従来の製品と違って、詰め替え作業中に内容物がこぼれるおそれもなく、的確に詰め替え作業を行うことができるようになった。また、内容物が微細な粉末であっても、詰め替え作業中にこれか飛び散るおそれもなく、容易かつ確実に詰め替えることが可能になった。更には詰め替えする際に、外気に触れ難く、しかも揮発成分が蒸散も少なく押えることが可能になり、外気に触れて変性するような内容物や外気に揮発成分が蒸散し品質が低下してしまうような内容物には十分に適用できるようになり、香りや風味が損なわれるおそれも少なく、本来の品質を上手く保って詰め替えが可能になった。
【００１２】
しかも、注出部の開封は、注出部を詰め替え先の容器の口部に差込み、次いで、つまみ部を持ってパウチの表裏両側のフィルムを互いに離間する方向に引っ張って行うために、開封が確実に行える。加えて、例えば、パウチを押えて内圧を高め、その勢いで弱シール箇所を開封する結果、内容物が周囲に勢い良く飛散する従来品に比べて、内容物の飛散や零れ落ちを格段に少なくできる。
【００１３】
以上の構成において、本名発明では請求項４に記載のように、パウチは注出部がパウチ本体側よりも細幅に形成されているのが望ましい。
詰め替え先の容器の口部へパウチの注出部を簡便に、しかも的確に挿入でき、もって所期の技術的な課題を一層効果的に達成できるからである。
【発明を実施するための最良の形態】
【００１４】
以下、この発明に係る詰め替え用パウチを、インスタントコーヒーの詰め替え用パウチ１としての平パウチに適用した場合の実施の形態について、図面にしたがって詳細に説明する。
【００１５】
尚、本発明は、基本的に、注出部を備え、この注出部近傍に、弱シール箇所及びつまみ部が設けられた袋体からなる詰め替え用パウチで、内容物の種類にかかわらず、内容物が微細な粉末であっても周囲に飛散するおそれ少なく、容易かつ確実に詰め替えることが可能である共に、香りや風味が損なわれるおそれも少なく、本来の品質を上手く保って詰め替えが可能となる態様のもの全般に適用できる。したがって、以下の実施の形態に示した具体的な例に限定されるものでないことは言うまでも無い。
【００１６】
本発明の図１に示す、１実施の形態の詰め替え用パウチ１は、粉末状のインスタントコーヒーＣ（図外）を密封包装した詰め替え用パウチからボトルなどの詰め替え先の容器（後述）に詰め替える際に、インスタントコーヒーＣが舞い上がり、周辺に飛散するのを防止できる形態の粉飛散防止用詰め替え用パウチである。この詰め替え用パウチ１は、少なくとも基材２がシーラント層３を有する積層体４からなり（図２参照）、二枚重ね合わせて、周辺部をヒートシール５により形成されている。
【００１７】
詰め替え用パウチ１の全体形状は、図１に示すように、詰め替え先の容器６の口部６Ａ（図３〜５参照）への挿入を容易にするように、インスタントコーヒーＣの収納領域であるパウチ本体１Ａよりもやや細幅に形成された注出部７が一体に備わった異形平パウチに形成されている。また、パウチ本体１Ａの左右辺１Ｂとこの注出部７の左右辺７Ａとの間は滑らか傾斜辺８で連なる。詰め替えの際に、パウチ本体１内のインスタントコーヒーＣがスムースに注出部７に流下案内されるようにするためである。
【００１８】
前記注出部７の基部近傍で、左右の前記ヒートシール５の内縁間にわたって、弱シール箇所としてのイージーピール性のシール層９が設けられている。この弱シール箇所であるシール層９を挟んで前記パウチ本体１と注出部７が仕切られる。この本体１にはインスタントコーヒーＣが収納される。また、このシール層９よりも注出部７の先端側にやや寄った位置の左右の辺７Ａには夫々ノッチ１０が設けられる。必要に応じて、このノッチ１０に連ねて、レーザー光照射によるハーフカット線やミシン目などの開封用切り込み線１１が設けられる。更に、シール層９に対応する積層体４の表裏両外側面にこのシール層９を凝集破壊或いは層間剥離させて剥離可能にするつまみ部１２が設けられている。このつまみ部１２は別パーツを積層体４の表裏両外表面に固定したり（図１、２参照）、積層体４の表裏両面を折り込んだ状態でヒートシールしたり（図６参照）して構成される。
【００１９】
パウチ本体１Ａ並びに注出部７は、紙、アルミ、プラスチックフィルムのいずれかを用いて、単体若しくは積層体から構成され、しかも内面にヒートシールできる材料が選択される。本実施例の形態では、図２に示すように、少なくとも、基材２とシーラント層３とを有する積層体４からなり、図１に示すように、サイドシール部５Ａ、底シール部５Ｂ、天シール部５Ｃにより密封される。しかし、特にこのような形態に制約されるものではなく、３方シールタイプ、背シール部を有するピロータイプ、ガゼットタイプ、スタンディングタイプなどのパウチに適用することができる。
【００２０】
基材２としては、表裏共に逐次２軸延伸フィルム（ＯＮｙ：１２μｍ）の表側にアルミナ蒸着フィルム（ＧＬ−ＡＥ：１２μｍ）をコーティングしたものを用い、更に最内層のシーラント層３が積層されている。このシーラント層３としては、表基材は低密度ポリエチレン層（ＬＤＰＥ：５０μｍ）が、また裏基材にはイージーピール層（イージーピールフィルム：５０μｍ）が夫々採用されている。
【００２１】
更に、前記弱シール箇所であるシール層９は、図１、２に示すように、前記注出部７の横幅とほぼ同一長さで、上下所定幅のイージーピール性テープ９Ａがこの注出部７内に挿入され、注出部７の表裏両側内面のシーラント層３と所定幅で加熱、圧着されてなる横シール部で形成される。したがって、このシール層９は周辺の前記ヒートシール５部分に強シール部を有し、中間位置に弱シール箇所を有することになる。
【００２２】
このイージーピール性テープ９Ａは、少なくとも一方の面にポリオレフィン系樹脂と擬似接着する樹脂からなるイージーピール性樹脂層を有する多層構成の材料からなっている。イージーピール性樹脂としては、例えば、ポリエチレン樹脂とポリプロピレン樹脂のブレンド樹脂である。
【００２３】
このように、前記シール層９は層構成の中間にイージーピール性テープ９Ａを有し、かつ、両端のヒートシール５部中間位置に弱シール箇所を有する構造になっている。インスタントコーヒーＣを詰め替えときは、つまみ部１２を互いに離間する方向へ引っ張る。その結果、このシール層９の中間部に存在するイージーピール性テープ９Ａの少なくとも一方のイージーピール樹脂層と注出部７の最内層のシーラント層３との界面で容易に剥離し、注出部７にパウチ本体１Ａと詰め替え先の容器６とを直に連通させる注出用流路が形成されることになる。
【００２４】
（実施例）
以上のような基材２を二枚重合し、図１に示すように、底辺を１５０ｍｍ、高さを２５０ｍｍ、注出部７の径を５０ｍｍに設定してカッティングすると同時に、周辺をヒートシールした。シール強度は５〜２０Ｎ／１５ｍｍの範囲で適宜に設定した。また、弱シール箇所のシール強度は１〜１０Ｎ／１５ｍｍの範囲で適宜に設定した。
【００２５】
つまみ部１２は、得られたパウチ本体１Ａの弱シール箇所である前記シール層９に対応させて、積層体４の表裏両外面に設けられるもので、厚紙（坪量４００ｇ／ｃｍ2 ）を用いて、適宜の大きさの短冊状にしたものをホットメルトによって貼着固定した。
【００２６】
前記ノッチ１０は、前記シール層９よりもやや注出部７の前端側に寄った位置の左右両辺７Ａに設けられる。これら両ノッチ１０間にわたって、開封用の切り込み線１１が設けた。
【００２７】
以上のように構成された詰め替え用パウチ１によって、詰め替え先の容器６にインスタントコーヒーＣ（スプレードライタイプ：１００ｇ）を詰め替えるために、図３に示すように、先ず詰め替え用パウチ１を逆さまにして詰め替え先の容器６の口部６Ａに注出部７を対向させる。次いで、図４に示すように、ノッチ１０から注出部７の先端部分を切除し、この注出部７の先端部分に開口を形成する。次に、図５に示すように、注出部７を詰め替え先の容器６の口部６Ａに差込む。このとき、シール層９によって注出部７が密封されているので、パウチ本体１Ａ内のインスタントコーヒーＣは未だパウチ本体１Ａ内に収容された状態にある。次いで、つまみ部１２を持ってパウチ本体１Ａの表裏両側の積層体４を互いに離間する方向に引っ張る。この引っ張りによって、前記シール層９を凝集破壊或いは層間剥離させて注出部７は開封される。これによって、インスタントコーヒーＣは詰め替え先の容器６内にストレートに流下、充填される。前記容器６は硝子製で、胴部の上に円形の口部６Ａを備えていて、この口部６Ａの内径は６１ｍｍ、肉厚は３ｍｍの、胴部よりも小径となった円形を呈している。
【００２８】
尚、ノッチ１０の切り裂きは詰め替え用パウチ１の、図１に示す正立状態で行い、注出部７を詰め替え先の容器６の口部６Ａに差し込む段階で、詰め替え用パウチ１を逆さまにしても良いことは言うまでも無い。
【００２９】
このようにして詰め替え作業が行われるが、上記実施の形態に示した詰め替え用パウチ１を用い、また、上記のガラス製の詰め替え先の容器６を用いて詰め替え性能を試験した。
【００３０】
その結果は、インスタントコーヒーＣの零れ落ちや飛散がなく、的確、かつ、確実に詰め替え作業が行えた。また。シール層９の開封性もつまみ部１２を引っ張って難なく開封できた。更に、従来の製品に比べて、味覚の劣化が少なく、本発明に係る詰め替え用パウチの優位性が認められた。
【図面の簡単な説明】
【００３１】
【図１】本発明に係る詰め替え用パウチの一実施例を示す説明正面図である。
【図２】図１中、一部切欠きＡ−Ａ断面図である。
【図３】図１に示す詰め替え用パウチの詰め替え作業前のパウチと詰め替え先の容器との関係を示す説明図である。
【図４】図１に示す詰め替え用パウチのノッチを起点にして引き裂いた状態を示す説明図である。
【図５】図１に示す詰め替え用パウチを用いて詰め替えを行っている状態の説明図である。
【図６】本発明に係る詰め替え用パウチの別の実施例を示す説明正面図である。
【符号の説明】
【００３２】
１…詰め替え用パウチ
１Ａ…パウチ本体
４…積層体
７…注出部
９…シール層
１０…ノッチ
１２…つまみ部
【図１】
2010058833.tif 000003
【図２】
2010058833.tif 000004
【図３】
2010058833.tif 000005
【図４】
2010058833.tif 000006
【図５】
2010058833.tif 000007
【図６】
2010058833.tif 000008